(57)【要約】【課題】  ＲＦＩＤ記録媒体に対するリーダ・ライタアンテナの設置面積を小さくして印刷装置の小型化を実現すると共に、リーダ・ライタアンテナの指向特性を改善して、ＲＦＩＤ記録媒体間の干渉を減少させ、リード／ライト動作に於いて高い信頼性を維持出来るＲＦＩＤ記録媒体の印刷装置を提供する。【解決手段】  情報の送受信を行うタグ側アンテナと、情報を記憶する記憶部を有するＩＣチップと、情報の印刷領域である情報印刷部とを備えたＲＦＩＤタグラベル１の印刷装置１０であって、前記ＲＦＩＤタグラベル１を搬送するプラテン１２と、ＲＦＩＤタグラベル１の情報印刷部に印刷を行うプリントヘッド１３と、前記ＲＦＩＤタグラベル１のタグ側アンテナと情報の送受信を行うリーダ・ライタアンテナ１５とを備え、このリーダ・ライタアンテナ１５は、前記ＲＦＩＤタグラベル１の搬送方向（矢印Ｄ）に対して垂直方向に配置される構成とした。【選択図】      図２
2006209375.tif 000002
【特許請求の範囲】
【請求項１】
情報の送信又は受信を行う第一のアンテナと情報を記憶する記憶部を有する記録媒体を所定方向に搬送する搬送部と、前記記録媒体に印刷を行う印刷部と、前記記録媒体の第一のアンテナとの間で情報の送信又は受信を行う第二のアンテナとを有する印刷装置であって、前記第二のアンテナはコイル形状のアンテナであり、前記コイル形状が形成する平面が前記所定方向と垂直となるように配置されていることを特徴とする印刷装置。
【請求項２】
前記第二のアンテナが形成する前記平面の両側にシールド部材を有することを特徴とする請求項１に記載の印刷装置。
【請求項３】
前記第二のアンテナは渦巻き形状であることを特徴とする請求項１または請求項２に記載の印刷装置。
【請求項４】
前記記録媒体は長尺の基台に複数配置されており、前記第二のアンテナは、前記複数配置されている記録媒体の特定の記録媒体に対して選択的に情報の送信又は受信を行うことを特徴とする請求項１ないし請求項３のいずれか１項に記載の印刷装置。
【請求項５】
前記記録媒体はＲＦＩＤタグラベルであることを特徴とする請求項１ないし請求項４のいずれか１項に記載の印刷装置。
【発明の詳細な説明】
【技術分野】
【０００１】
本発明は、情報の送受信を行うアンテナと情報を記憶する記憶部を有するＲＦＩＤ記録媒体に印刷を行う印刷装置に関するものである。
【背景技術】
【０００２】
従来から、電波によって情報の送受信を行うアンテナと、情報を記憶するＩＣチップを基材シート内に内包したＲａｄｉｏ  Ｆｒｅｑｕｅｎｃｙ  Ｉｄｅｎｔｉｆｉｃａｔｉｏｎ（以下、ＲＦＩＤと略記）記録媒体の一形態であるＲＦＩＤタグラベルは、流通システム等の様々な分野で利用が検討され製品化も進んでいる。このＲＦＩＤタグラベルへの印刷と、内包されるＩＣチップへのリード／ライトを一括して行うことが出来る印刷装置が開示されている（例えば特許文献１参照）。以下、従来の技術である特許文献１の概略を図面に基づいて説明する。図６は、特許文献１で開示されている印刷装置の概略を示す側面図である。３０は従来の印刷装置であり、ＲＦＩＤタグラベルとしての配送タグラベル３１に情報を印刷し、また、配送タグラベル３１に内包されるＩＣチップ（図示せず）に情報をリード／ライトする機能を有する。
【０００３】
配送タグラベル３１は図示しないが非接触方式で情報の送受信を行うタグ側アンテナと情報を記憶するＩＣチップが内包され、また、感熱発色層によって成る配送情報印字部が表面に形成されている。この配送タグラベル３１は帯状の台紙に連続して配置され、ロール３２に巻かれた状態で印刷装置３０に組み込まれている。３３は配送タグラベル３１を搬送するプラテンであり、図示しないが駆動モータによって駆動される。３４は配送タグラベル３１の配送情報印字部に印字する感熱プリントヘッドである。３５は配送タグラベル３１の搬送経路に配置されるリーダ・ライタアンテナであり、渦巻き状のアンテナ部（図示せず）を有する平面アンテナである。このリーダ・ライタアンテナは配送タグラベル３１と非接触状態で情報の送受信を行い、配送タグラベル３１に内包されるＩＣチップ（図示せず）に対して情報のリード／ライトを実行する。３６は制御部であり、リーダ・ライタアンテナ３５に対して送受信信号３７を入出力してリーダ・ライタアンテナ３５を制御する。
【０００４】
ここで、プラテン３３が矢印Ａの方向に駆動されると、配送タグラベル３１の搬送が開始され、ロール３２は矢印Ｂの方向に回転して配送タグラベル３１を順次送り出す。このとき、プラテン３３とロール３２の間に位置するリーダ・ライタアンテナ３５によって配送ラグラベル３１に内包されるＩＣチップに対して必要な情報のリード／ライトが実行される。また、感熱プリントヘッド３４は、プラテン３３によって搬送される配送タグラベル３１の配送情報印字部に順次必要な情報を印刷する。次に、ＩＣチップに対してリード／ライトが実行され、配送情報印字部に印刷が成された配送タグラベル３１は、プラテン３３によって更に搬送され、印刷装置３０の取り出し口３８から矢印Ｃの方向に従って外部に排出される。
【０００５】
このように、特許文献１の印刷装置によるならば、配送タグラベル３１への印刷と共に、内包されるＩＣチップへのリード／ライトを一括して１台の装置によって実行出来るので、配送タグラベルの発行が短時間で可能となり作業効率の良い印刷装置が実現出来る。
【０００６】
【特許文献１】特開２０００−１０９０３７号公報（第３頁−第４頁、第３図）
【発明の開示】
【発明が解決しようとする課題】
【０００７】
しかしながら、上記文献１の発明では、リーダ・ライタアンテナ３５は、配送タグラベル３１の搬送方向に対して図示する如く水平に配置されているので、リーダ・ライタアンテナ３５の設置面積が配送タグラベル３１に対してかなり広く必要であり、この結果、配送タグラベル３１の搬送経路（図６参照）が長くなり、印刷装置の小型化・軽量化の妨げとなっていた。また、連続して配置されている配送タグラベル３１に情報をリード／ライトする場合、リーダ・ライタアンテナ３５が、配送タグラベル３１の搬送方向に対して水平に配置されているので、リーダ・ライタアンテナ３５の指向特性が広くなり、この結果、隣接する配送タグラベルに干渉する危険性がある。
【０００８】
図７は、従来の印刷装置のリーダ・ライタアンテナの指向特性を示す説明図であり、３９はリーダ・ライタアンテナ３５から出力される高周波の磁束である。ここで、磁束３９はリーダ・ライタアンテナ３５の構造上その両端付近からそれぞれ出力されるので、リーダ・ライタアンテナ３５の真上に位置する配送タグラベル３１ａだけでなく、隣接する配送タグラベル３１ｂ、３１ｃにも磁束３９の範囲が及び、情報のリード／ライト動作に於いて、隣接する配送タグラベル３１ｂ、３１ｃに磁束３９が干渉し、誤ったリード／ライト動作が行われる危険性がある。この誤動作を防ぐために、リーダ・ライタアンテナ３５を制御する制御部３６は、特定の配送タグラベルだけを選択的にリード／ライトするデータ処理機能を追加する等の対策が必要となり、この結果、制御部３６の回路規模やファームウエアの規模が増大しコストアップを招いている。
【０００９】
本発明の目的は上記課題を解決し、ＲＦＩＤ記録媒体に対するリーダ・ライタアンテナの設置面積を小さくして印刷装置の小型化を実現すると共に、リーダ・ライタアンテナの指向特性を改善して、ＲＦＩＤ記録媒体間の干渉を減少させ、信頼性の高い情報の送受信動作を実現したＲＦＩＤ記録媒体の印刷装置を提供することである。
【課題を解決するための手段】
【００１０】
上記課題を解決するために、本発明の印刷装置は下記記載の構成を採用する。
【００１１】
本発明の印刷装置は、情報の送信又は受信を行う第一のアンテナと情報を記憶する記憶部を有する記録媒体を所定方向に搬送する搬送部と、前記記録媒体に印刷を行う印刷部と、前記記録媒体の第一のアンテナとの間で情報の送信又は受信を行う第二のアンテナとを有する印刷装置であって、前記第二のアンテナはコイル形状のアンテナであり、前記コイル形状が形成する平面が前記所定方向と垂直となるように配置されていることを特徴とする。
【００１２】
本発明の印刷装置によれば、印刷装置が備えるアンテナをＲＦＩＤ記録媒体の搬送方向に対して垂直に配置するので、アンテナの設置面積が小さくなり、この結果、ＲＦＩＤ記録媒体の搬送経路が短くなって印刷装置の小型化・軽量化を実現出来る。
【００１３】
また、前記第二のアンテナが形成する前記平面の両側にシールド部材を有することを特徴とする。
【００１４】
これにより、印刷装置が備えるアンテナはシールド部材によってシールドされるので、アンテナの指向特性が鋭くなり、この結果、隣接するＲＦＩＤ記録媒体間の干渉が減少し、信頼性の高い情報の送受信動作を実現出来る。
【００１５】
また、前記第二のアンテナは渦巻き形状であることを特徴とする。
【００１６】
これにより、印刷装置が備えるアンテナの設置面積を更に小さくすることが可能となり、この結果、ＲＦＩＤ記録媒体の搬送経路が更に短くなって印刷装置の小型化・軽量化を実現出来る。
【００１７】
また、前記記録媒体は長尺の基台に複数配置されており、前記第二のアンテナは、前記複数配置されている記録媒体の特定の記録媒体に対して選択的に情報の送信又は受信を行うことを特徴とする。
【００１８】
これにより、印刷装置が備えるアンテナは、連続して配置されたＲＦＩＤ記録媒体の特定のＲＦＩＤ記録媒体に対して選択的に動作するので、特定のＲＦＩＤ記録媒体に隣接するＲＦＩＤ記録媒体と干渉することなく、信頼性の高い情報の送受信動作を実現出来る。
【００１９】
また、前記記録媒体はＲＦＩＤタグラベルであることを特徴とする。
【発明の効果】
【００２０】
上記の如く本発明によるならば、ＲＦＩＤ記録媒体と情報の送受信を行うリーダ・ライタアンテナを、ＲＦＩＤ記録媒体の搬送方向に対して垂直に配置するので、ＲＦＩＤ記録媒体に対するリーダ・ライタアンテナの設置面積が小さくなり、この結果、ＲＦＩＤ記録媒体の搬送経路を短く設計出来、装置の小型化・軽量化を実現した印刷装置を提供することが出来る。
【発明を実施するための最良の形態】
【００２１】
以下図面により本発明の実施の形態を詳述する。図１は本発明のＲＦＩＤタグラベルの印刷装置に使用されるＲＦＩＤタグラベルの一例を示す斜視図である。図２は本発明の実施例１のＲＦＩＤタグラベルの印刷装置の概略を示す側面図である。図３（ａ）は本発明のＲＦＩＤタグラベルの印刷装置に組み込まれるリーダ・ライタアンテナの一例を示す斜視図である。図３（ｂ）は本発明のＲＦＩＤタグラベルの印刷装置に組み込まれるリーダ・ライタアンテナの動作を示す説明図である。図４は本発明の実施例２のＲＦＩＤタグラベルの印刷装置の概略を示す側面図である。図５（ａ）は本発明の実施例３のリーダ・ライタアンテナにシールド部材を追加した形態での動作を示す説明図である。図５（ｂ）は本発明の実施例３のリーダ・ライタアンテナにシールド部材を追加した形態を示す斜視図である。
【実施例１】
【００２２】
まず、図１に基づいて、本発明の印刷装置で使用されるＲＦＩＤタグラベルの構造の一例を説明する。１はＲＦＩＤタグラベルであり、帯状の台紙２の上に一定間隔で連続して配置されている。また、ＲＦＩＤタグラベルの裏面は粘着部（図示せず）が形成され、ＲＦＩＤタグラベル１を台紙２から剥がすことによって粘着部が露出し、配送物や商品等に貼着して利用することが出来る。３は略渦巻き状のタグ側アンテナであり、ＲＦＩＤタグラベル１のシート内に内包されている。４は小型のＩＣチップであり、内部に情報を記憶する記憶部（図示せず）を有し、また、タグ側アンテナ３に接続されて情報のリード／ライトを行う。
【００２３】
尚、このＩＣチップ４も、ＲＦＩＤタグラベル１のシート内に内包される。また、タグ側アンテナ３とＩＣチップ４はＲＦＩＤタグラベル１のシートの裏側に内包されることが一般的であり、ＲＦＩＤタグラベル１の表面からは通常見ることは出来ない。５は情報の印刷領域である情報印刷部であり、この情報印刷部５には文字情報、バーコード６などの可視情報が印刷されることが一般的である。このように、ＲＦＩＤタグラベル１は台紙
２上に一定間隔で連続して配置されているので、ロール状に巻き付けた形態で印刷装置に組み込むことにより、連続して印刷やＩＣチップへのリード／ライトを実行することが出来る。尚、ＲＦＩＤタグラベルの構造は図１に限定されるものではなく、様々な形態のタグラベルであって良い。
【００２４】
次に図２に基づいて、本発明のＲＦＩＤタグラベルの印刷装置の概略構造を説明する。１０は本発明のＲＦＩＤタグラベルの印刷装置であり、ＲＦＩＤタグラベル１に情報を印刷し、また、内包されるＩＣチップ４（図１参照）に情報をリード／ライトする機能を有する。ここで、ＲＦＩＤタグラベル１は図１で前述した如く、帯状の台紙２に連続して配置され、ロール１１に巻き付けられてＲＦＩＤタグラベルの印刷装置１０に組み込まれている。１２はＲＦＩＤタグラベル１を搬送する搬送手段としてのプラテンであり、図示しないが駆動モータによって駆動される。１３はＲＦＩＤタグラベル１の情報印刷部５に印刷する印刷手段としてのプリントヘッドであり、１４はプリントヘッド１３に供給される熱転写用のインクリボンである。尚、プリントヘッド１３はサーマルヘッド方式であり、感熱紙への印刷と、インクリボン１４を用いて普通紙に熱転写方式で印刷する二つの印刷方式に対応しており、使用されるＲＦＩＤタグラベルの仕様に応じて印刷方式を選択することが出来る。
【００２５】
１５はＲＦＩＤタグラベル１の搬送経路に配置されるリーダ・ライタアンテナであり、ＲＦＩＤタグラベル１のタグ側アンテナ３と電磁誘導によって非接触状態で情報の送受信を行い、ＲＦＩＤタグラベル１に内包されるＩＣチップ４に対して、情報のリード／ライトを実行する。１６は制御部であり、リーダ・ライタアンテナ１５に対して送受信信号１７を入出力してリーダ・ライタアンテナ１５を制御する。尚、リーダ・ライタアンテナ１５はＲＦＩＤタグラベル１の搬送方向（矢印Ｄ）に対して垂直方向に配置されていることが、本発明の大きな特徴である。
【００２６】
ここで、プラテン１２が駆動モータ（図示せず）によって矢印Ｅの方向に駆動されると、ＲＦＩＤタグラベル１の搬送が開始されてロール１１は矢印Ｆの方向に回転してＲＦＩＤタグラベル１を順次送り出す。このとき、プラテン１２とロール１１の間に位置するリーダ・ライタアンテナ１５から高周波の磁束が出力され、リーダ・ライタアンテナ１５とＲＦＩＤタグラベル１に内包されているタグ側アンテナ３は電磁誘導によって結合し、ＲＦＩＤタグラベル１に内包されるＩＣチップ４に対して情報のリード／ライトが実行される。
【００２７】
次に、プリントヘッド１３は、情報のリード／ライトが実行されたＲＦＩＤタグラベル１に対して、その情報印刷部５に文字情報やバーコード６を順次印刷する。次に、印刷が終了したＲＦＩＤタグラベル１は、プラテン１２によって更に搬送され、ＲＦＩＤタグラベルの印刷装置１０の取り出し口１８から矢印Ｇの方向に従って外部に排出される。ここで、前述した如く、リーダ・ライタアンテナ１５はＲＦＩＤタグラベル１の搬送方向に対して垂直方向に配置されているので、従来例として示した特許文献１（図６参照）と比較して、ＲＦＩＤタグラベル１に対するリーダ・ライタアンテナ１５の設置面積を小さく出来、この結果、ＲＦＩＤタグラベル１の搬送経路（図２参照）を短く設計することが可能となり、ＲＦＩＤタグラベルの印刷装置の小型化・軽量化を実現することが出来る。
【００２８】
次に図３（ａ）と図３（ｂ）に基づいて、本発明のＲＦＩＤタグラベルの印刷装置に組み込まれているリーダ・ライタアンテナの構造と動作を説明する。図３（ａ）はリーダ・ライタアンテナ１５の構造の一例を示し、リーダ・ライタアンテナ１５は、絶縁性の基台１５ａ上に金属によって成る渦巻き状のアンテナ部１５ｂが形成されている平面アンテナである。尚、矢印Ｄは、リーダ・ライタアンテナ１５に対するＲＦＩＤタグラベル１の搬送方向を示している。図３（ｂ）は、リーダ・ライタアンテナ１５とＲＦＩＤタグラベ
ル１の位置関係と動作を示しており、前述した如く、リーダ・ライタアンテナ１５はＲＦＩＤタグラベル１の搬送方向（矢印Ｄ）に対して垂直方向に配置されている。ここで、ＲＦＩＤタグラベル１は搬送方向に従って搬送され、図示しないがＲＦＩＤタグラベル１の位置検出センサーによって、特定のＲＦＩＤタグラベル１ａがリーダ・ライタアンテナ１５に近接したことが認識されると、制御部１６から送受信信号１７が出力され、リーダ・ライタアンテナ１５は高周波によって駆動される。
【００２９】
これにより、リーダ・ライタアンテナ１５から高周波の磁束１９が発生し、特定のＲＦＩＤタグラベル１ａに内包されるタグ側アンテナ３（図１参照）と電磁誘導によって結合され、ＲＦＩＤタグラベル１ａに内包されるＩＣチップ４（図１参照）に対して情報のリード／ライトが実行される。ここで、リーダ・ライタアンテナ１５は、前述した如く、ＲＦＩＤタグラベル１の搬送方向に対して垂直方向に配置されているので、リーダ・ライタアンテナ１５から発生する磁束１９は、大きく広がることなく適切な指向特性を持つことが出来、この結果、特定のＲＦＩＤタグラベル１ａに隣接するＲＦＩＤタグラベル１ｂ、１ｃに対して磁束１９の干渉が減少し、リード／ライト動作の信頼性を高めることが出来る。これにより、リーダ・ライタアンテナ１５を制御する制御部１６は、特定のＲＦＩＤタグラベルだけを選択的にリード／ライトするデータ処理機能を削除、又は簡単化することが可能となり、印刷装置としてのコストダウンを実現することが出来る。
【００３０】
以上のように、本発明のＲＦＩＤタグラベルの印刷装置によるならば、リーダ・ライタアンテナ１５がＲＦＩＤタグラベル１の搬送方向に対して垂直方向に配置されるので、ＲＦＩＤタグラベル１の搬送経路が短くなって印刷装置の小型化・軽量化を実現出来、また、リーダ・ライタアンテナ１５の指向特性がＲＦＩＤタグラベル１に対して適切に設定されるので、隣接するＲＦＩＤタグラベル間の干渉が減少し、この結果、リード／ライト動作の信頼性が高く、コストダウンも可能なＲＦＩＤタグラベルの印刷装置を提供することが出来る。
【実施例２】
【００３１】
次に図４に基づいて、本発明の実施例２のＲＦＩＤタグラベルの印刷装置の概略構造を説明する。尚、実施例２は前述の実施例１と基本構成は同じであるので、同一要素には同一番号を付し重複する説明は一部省略する。ここで、ＲＦＩＤタグラベル１は実施例１と同様に、帯状の台紙２に連続して配置され、ロール１１に巻き付けられてＲＦＩＤタグラベルの印刷装置１０に組み込まれている。また、ＲＦＩＤタグラベル１を搬送するプラテン１２とＲＦＩＤタグラベル１を印刷するプリントヘッド１３は、ロール１１に隣接して配置されている。
【００３２】
リーダ・ライタアンテナ１５はプラテン１２と取り出し口１８の間に配置され、実施例１と同様にＲＦＩＤタグラベル１の搬送方向（矢印Ｄ）に対して垂直方向に配置されている。すなわち、実施例１に於いて、リーダ・ライタアンテナ１５はロール１１とプラテン１２の間に配置されていたが、実施例２に於けるリーダ・ライタアンテナ１５はプラテン１２と取り出し口１８の間に配置されていることが、両者の大きな違いである。ここで、プラテン１２が駆動モータ（図示せず）によって矢印Ｅの方向に駆動されると、ＲＦＩＤタグラベル１の搬送が開始されロール１１は矢印Ｆの方向に回転してＲＦＩＤタグラベル１を順次送り出す。
【００３３】
ここでまず、プリントヘッド１３は、プラテン１２によって搬送されるＲＦＩＤタグラベル１の情報印刷部５（図１参照）に文字情報やバーコードを順次印刷し、次に、印刷が終了したＲＦＩＤタグラベル１に対してリーダ・ライタアンテナ１５から高周波の磁束が出力され、リーダ・ライタアンテナ１５とＲＦＩＤタグラベル１に内包されているタグ側アンテナ３は電磁誘導によって結合し、ＲＦＩＤタグラベル１に内包されるＩＣチップ
４に対して情報のリード／ライトが実行される。すなわち、実施例２に於いては、プリントヘッド１３とリーダ・ライタアンテナ１５の位置関係から、ＲＦＩＤタグラベル１に対して、まず印刷が実施され、次に、内包されるＩＣチップ４に対してリード／ライトが実施される。
【００３４】
以上のように、実施例２は、前述の実施例１に対して印刷とリード／ライトの動作順序が入れ替わることになるが、本発明の特徴であるリーダ・ライタアンテナ１５がＲＦＩＤタグラベル１の搬送方向に対して垂直方向に配置されているので、ＲＦＩＤタグラベル１の搬送経路（図４参照）は実施例１と同様に短く設計することが可能となり、ＲＦＩＤタグラベルの印刷装置の小型化・軽量化を実現することが出来る。また、実施例２に於いてもリーダ・ライタアンテナ１５の指向特性はＲＦＩＤタグラベル１に対して適切に設定されるので、隣接するＲＦＩＤタグラベル間の干渉が減少し、この結果、リード／ライト動作の信頼性が高く、コストダウンも可能なＲＦＩＤタグラベルの印刷装置を提供することが出来る。尚、実施例１の構成を採用するか、実施例２の構成を採用するかは、印刷装置の仕様や製造工程の効率化等によって任意に選択して良い。また、本発明のＲＦＩＤタグラベルの印刷装置の構成は、実施例１及び実施例２に限定されるものではなく、本発明の要旨を逸脱しない範囲で任意に変更することが出来る。
【実施例３】
【００３５】
次に、図５（ａ）と図５（ｂ）に基づいて、本発明の実施例３を説明する。尚、実施例３の特徴は、リーダ・ライタアンテナ１５にシールド部材を取り付け、リーダ・ライタアンテナ１５の指向特性を鋭くしたものである。また、実施例３は前述の実施例１及び実施例２と基本構成は同じであるので、同一要素には同一番号を付し重複する説明は省略する。図５（ａ）に於いて、リーダ・ライタアンテナ１５はＲＦＩＤタグラベル１の搬送方向（矢印Ｄ）に対して垂直方向に配置されている。２０ａと２０ｂは金属材料によって成る板状のシールド部材であり、リーダ・ライタアンテナ１５の両面側を一定間隔で挟み込むように対となって配置される。
【００３６】
ここで、リーダ・ライタアンテナ１５は、制御部１６からの送受信信号１７によって駆動されて高周波の磁束１９が出力されるが、リーダ・ライタアンテナ１５は、前述した如く、シールド部材２０ａ、２０ｂによって両面が挟まれているので、リーダ・ライタアンテナ１５から発生した磁束１９の広がりは、図示する如く、シールド部材２０ａ、２０ｂによって制限を受け、シールド部材２０ａ、２０ｂの外側にはほとんど広がることが出来ず、これにより、リーダ・ライタアンテナ１５のＲＦＩＤタグラベル１に対する磁束１９の指向特性は鋭く形成されることになる。
【００３７】
この結果、特定のＲＦＩＤタグラベル１ａに対しての電磁誘導による結合は更に強化され、一方、隣接するＲＦＩＤタグラベル１ｂ、１ｃへの磁束１９の干渉は更に減少するので、極めて信頼性の高いリード／ライト動作を実現したＲＦＩＤタグラベルの印刷装置を提供することが出来る。また、リーダ・ライタアンテナ１５を制御する制御部１６は、特定のＲＦＩＤタグラベルだけを選択的にリード／ライトするデータ処理機能を削除、又は簡単化出来る可能性が高くなり、印刷装置としてのコストダウンを実現することが出来る。
【００３８】
図５（ｂ）はリーダ・ライタアンテナ１５とシールド部材２０ａ、２０ｂの形態を示す斜視図であり、図示するように、リーダ・ライタアンテナ１５は対となっているシールド部材２０ａ、２０ｂによって挟み込まれシールドされている。また、シールド部材２０ａ、２０ｂも、リーダ・ライタアンテナ１５と同じくＲＦＩＤタグラベル１の搬送方向（矢印Ｄ）に対して垂直方向に配置されるので、シールド部材２０ａ、２０ｂがリーダ・ライタアンテナ１５の設置面積に大きな影響を与えることはなく、印刷装置の小型化・軽量
化の妨げにはならない。
【００３９】
尚、実施例１ないし実施例３ではラベル形態のＲＦＩＤ記録媒体への印刷装置としたが、記録媒体の形態はラベルに限定されるものではなく、カード、値札、ボタン、ピンなどの形態のＲＦＩＤ記録媒体に印刷を行う印刷装置であってもよいのはいうまでもない。
【図面の簡単な説明】
【００４０】
【図１】本発明のＲＦＩＤタグラベルの印刷装置に使用されるＲＦＩＤタグラベルの一例を示す斜視図である。
【図２】本発明の実施例１のＲＦＩＤタグラベルの印刷装置の概略を示す側面図である。
【図３（ａ）】本発明のＲＦＩＤタグラベルの印刷装置に組み込まれるリーダ・ライタアンテナの一例を示す斜視図である。
【図３（ｂ）】本発明のＲＦＩＤタグラベルの印刷装置に組み込まれるリーダ・ライタアンテナの動作を示す説明図である。
【図４】本発明の実施例２のＲＦＩＤタグラベルの印刷装置の概略を示す側面図である。
【図５（ａ）】本発明の実施例３のリーダ・ライタアンテナにシールド部材を追加した形態での動作を示す説明図である。
【図５（ｂ）】本発明の実施例３のリーダ・ライタアンテナにシールド部材を追加した形態を示す斜視図である。
【図６】従来の印刷装置の概略を示す側面図である。
【図７】従来の印刷装置のリーダ・ライタアンテナの指向特性を示す説明図である。
【符号の説明】
【００４１】
１  ＲＦＩＤタグラベル
２  台紙
３  タグ側アンテナ
４  ＩＣチップ
５  情報印刷部
６  バーコード
１０  ＲＦＩＤタグラベルの印刷装置
１１、３２  ロール
１２、３３  プラテン
１３  プリントヘッド
１４  インクリボン
１５、３５  リーダ・ライタアンテナ
１５ａ  基台
１５ｂ  アンテナ部
１６、３６  制御部
１７、３７  送受信信号
１８、３８  取り出し口
１９、３９  磁束
２０ａ、２０ｂ  シールド部材
３０  印刷装置
３１  配送タグラベル
３４  感熱プリントヘッド
【図１】
2006209375.tif 000003
【図２】
2006209375.tif 000004
【図３（ａ）】
2006209375.tif 000005
【図３（ｂ）】
2006209375.tif 000006
【図４】
2006209375.tif 000007
【図５（ａ）】
2006209375.tif 000008
【図５（ｂ）】
2006209375.tif 000009
【図６】
2006209375.tif 000010
【図７】
2006209375.tif 000011